(57)【要約】【課題】フィルタユニットの糸屑捕集性を向上しメンテナンス時の操作性を向上すること。【解決手段】フィルタユニット３０は、前カバー３２の側面部に長手方向に形成した縦溝孔形状の案内部３５に、後カバー３３の側面部が摺動自在に遊嵌して構成されるとともに、回動体３４ａは、下側に形成した支持リブ３４ｂの支えにより、上方向のみ回動可能とした構成とすることにより、フィルタユニット３０は水位の影響を大きく受けずに糸屑を捕集することができ、その糸屑は外から見えないために清潔感があるとともに、フィルタユニット３０内に付着したリント類３６に手を触れることなく容易に除去することができるので、糸屑捕集性の向上およびメンテナンス時の操作性の向上ができる。【選択図】図４
2018134261.tif 000002
【特許請求の範囲】
【請求項１】
本体と、
前記本体内部に支持された水槽と、
前記水槽に回転自在に内包された洗濯兼脱水槽と、
前記洗濯兼脱水槽の側壁部に構成され、前記洗濯兼脱水槽内の洗濯水が循環する還流水路部と、
前記還流水路部に着脱可能に設けられ、ろ過部材が設けられた前カバーと後カバーとから構成されるフィルタユニットと、を備え、
前記前カバーは、前記還流水路部に取り付けられた状態で前記洗濯兼脱水槽の内周側に位置し、前記後カバーは、前記還流水路部に取り付けられた状態で前記洗濯兼脱水槽の外周側に位置し、前記前カバーには、前記後カバーの内面に付着した糸屑等を掻き取る掻き取り部が設けられる洗濯機。
【請求項２】
前記前カバー又は前記後カバーにはガイドレールが形成され、前記前カバーは、前記掻き取り部で前記後カバーの内面を押さえながら前記ガイドレールに沿って前記後カバーと摺動する請求項１に記載の洗濯機。
【請求項３】
前記フィルタユニットには、前記還流水路部から前記フィルタユニット内部に流入した洗濯水が前記還流水路部へ逆流することを防止する逆止弁が設けられ、前記掻き取り部は、前記逆止弁により構成される請求項１又は請求項２に記載の洗濯機。
【請求項４】
前記逆止弁は、回動可能な回動体と、前記回動体の上流側への回動軌跡上に位置する支持体と、から構成され、前記支持体により前記回動体の上流側への回動を抑制する請求項３に記載の洗濯機。
【請求項５】
前記ガイドレールは、前記後カバーの両側面に形成され、前カバーの両側面には、前記ガイドレールと回動及び摺動可能に遊嵌する前カバー連結軸が設けられ、前記前カバーと前記後カバーは、前記連結軸と前記ガイドレールを介して摺動および回動が可能に構成される請求項２から請求項４のいずれか１項に記載の洗濯機。
【請求項６】
本体と、
前記本体内部に支持された水槽と、
前記水槽に回転自在に内包された洗濯兼脱水槽と、
前記洗濯兼脱水槽の側壁部に構成され、前記洗濯兼脱水槽内の洗濯水が循環する還流水路部と、
前記還流水路部に着脱可能に設けられ、ろ過部材を備えた前カバーと後カバーにより着脱可能に構成されるフィルタユニットと、
前記前カバーと前記後カバーとの間に摺動可能に挟持され前記フィルタユニット内に付着した糸屑等を掻き取る掻き取り部と、を備え、
前記前カバーは、前記還流水路部に取り付けられた状態で前記洗濯兼脱水槽の内周側に位置し、前記後カバーは、前記還流水路部に取り付けられた状態で前記洗濯兼脱水槽の外周側に位置し、前記後カバーには、前記掻き取り部の摺動方向の略全長に延伸形成された溝孔を有し、前記掻き取り部には、前記溝孔と摺動可能に遊嵌する嵌合部が形成され、前記前カバーと前記後カバーとが一体に構成された状態において、前記嵌合部の一部が、前記溝孔を貫通して前記後カバーから突出する洗濯機。
【請求項７】
前記嵌合部の前記後カバーから突出した部分と連結される摘み部を備え、前記前カバーと前記後カバーとが一体となった状態で前記摘み部を摘みながら前記溝孔に沿って移動させることにより、前記掻き取り部が前記フィルタユニット内の糸屑等を掻き取る請求項６に
記載の洗濯機。
【請求項８】
前記後カバーには、前記掻き取り部により掻き取られた前記フィルタユニット内の糸屑等を排出するための排出口を有する請求項６または請求項７に記載の洗濯機。
【発明の詳細な説明】
【技術分野】
【０００１】
本発明は、リント類を捕集するフィルタユニットを有する洗濯機に関するものである。
【背景技術】
【０００２】
特許文献１は、フィルタユニット内に捕集されたリント類（糸くず・ごみなどの固形浮遊物）を除去できる洗濯機を開示する。特許文献１のフィルタユニットは、ろ過部材を有し洗濯兼脱水槽の内周側に位置する前カバーと、前カバーと着脱可能に設けられ洗濯兼脱水槽の外周側に位置する後カバーと、を備える。後カバーには、前カバーのろ過部材に付着した付着物を擦り取るための掻き取り部を備える。
【０００３】
これにより、前カバーのろ過部材を後カバーの掻き取り部で擦ることで、ろ過部材に付着したリント類を除去することができる。
【先行技術文献】
【特許文献】
【０００４】
【特許文献１】特開２０１３−１４１５５２号公報
【発明の概要】
【発明が解決しようとする課題】
【０００５】
しかしながら、脱水運転時の遠心力により、フィルタニット内のリント類は、主に後カバーに付着する。このため、前記従来の構成では、洗濯終了後に後カバーに付着したリント類の除去が困難であり、使用者に不快感を感じさせることがあった。
【０００６】
本発明は、上記従来の課題を解決するもので、後カバーに付着したリント類を容易に除去することにより、フィルタユニットのメンテナンス時の操作性を向上させる洗濯機を提供することを目的とする。
【課題を解決するための手段】
【０００７】
前記従来の課題を解決するために、本発明の洗濯機は、本体と、前記本体内部に支持された水槽と、前記水槽に回転自在に内包された洗濯兼脱水槽と、前記洗濯兼脱水槽の側壁部に構成され、前記洗濯兼脱水槽内の洗濯水が循環する還流水路部と、前記還流水路部に着脱可能に設けられ、ろ過部材が設けられた前カバーと後カバーとから構成されるフィルタユニットと、を備え、前記前カバーは、前記還流水路部に取り付けられた状態で前記洗濯兼脱水槽の内周側に位置し、前記後カバーは、前記還流水路部に取り付けられた状態で前記洗濯兼脱水槽の外周側に位置し、前記前カバーには、前記後カバーの内面に付着した糸屑等を掻き取る掻き取り部が設けられることにより、後カバーに付着したリント類を手を触れることなく容易に除去することができ、フィルタユニットのメンテナンス時の操作性が向上する。
【発明の効果】
【０００８】
本発明の洗濯機は、フィルタユニットのメンテナンス時の操作性を向上することができる。
【図面の簡単な説明】
【０００９】
【図１】本発明の実施の形態１における洗濯機の縦断面図
【図２】同洗濯機の洗濯兼脱水槽内部を示す斜視図
【図３】同洗濯機のフィルタユニットの分解斜視図
【図４】同洗濯機のフィルタユニットのリント類を除去する際の斜視図
【図５】同洗濯機のフィルタユニットの縦断面図
【図６】同洗濯機のフィルタユニットの横断面図
【図７】本発明の実施の形態２における洗濯機のフィルタユニットのリント類を除去する際の斜視図
【図８】本発明の実施の形態３における洗濯機のフィルタユニットの分解斜視図
【図９】同洗濯機のフィルタユニットのリント類を除去する際の部分斜視図
【発明を実施するための形態】
【００１０】
第１の発明は、本体と、前記本体内部に支持された水槽と、前記水槽に回転自在に内包された洗濯兼脱水槽と、前記洗濯兼脱水槽の側壁部に構成され、前記洗濯兼脱水槽内の洗濯水が循環する還流水路部と、前記還流水路部に着脱可能に設けられ、ろ過部材が設けられた前カバーと後カバーとから構成されるフィルタユニットと、を備え、前記前カバーは、前記還流水路部に取り付けられた状態で前記洗濯兼脱水槽の内周側に位置し、前記後カバーは、前記還流水路部に取り付けられた状態で前記洗濯兼脱水槽の外周側に位置し、前記前カバーには、前記後カバーの内面に付着した糸屑等を掻き取る掻き取り部が設けられる構成とすることにより、後カバーに付着したリント類を手を触れることなく容易に除去することができる。
【００１１】
第２の発明は、特に、第１の発明の洗濯機の前記前カバー又は前記後カバーにはガイドレールが形成され、前記前カバーは、前記掻き取り部で前記後カバーの内面を押さえながら前記ガイドレールに沿って前記後カバーと摺動することにより、後カバーに付着したリント類を手を触れることなく容易に除去することができる。
【００１２】
第３の発明は、特に、第２の発明の洗濯機の前記フィルタユニットには、前記還流水路部から前記フィルタユニット内部に流入した洗濯水が前記還流水路部へ逆流することを防止する逆止弁が設けられ、前記掻き取り部は、前記逆止弁により構成されることにより、フィルタユニット内の糸屑等が還流水路部に逆流することを防止できるとともに、後カバーに付着したリント類を手を触れることなく容易に除去することができる。
【００１３】
第４の発明は、特に、第３の発明の洗濯機の前記逆止弁は、回動可能な回動体と、前記回動体の上流側への回動軌跡上に位置する支持体と、から構成され、前記支持体により前記回動体の上流側への回動を抑制することにより、フィルタユニット内の糸屑等が還流水路部に逆流することを防止できるとともに、後カバーに付着したリント類を手を触れることなく容易に除去することができる。
【００１４】
第５の発明は、特に、第２から第４のいずれか１つの発明の洗濯機の前記ガイドレールは、前記後カバーの両側面に形成され、前カバーの両側面には、前記ガイドレールと回動及び摺動可能に遊嵌する前カバー連結軸が設けられ、前記前カバーと前記後カバーは、前記連結軸と前記ガイドレールを介して摺動および回動が可能に構成されることにより、低コストで容易に後カバーに付着したリント類を除去できる。
【００１５】
第６の発明は、本体と、前記本体内部に支持された水槽と、前記水槽に回転自在に内包された洗濯兼脱水槽と、前記洗濯兼脱水槽の側壁部に構成され、前記洗濯兼脱水槽内の洗濯水が循環する還流水路部と、前記還流水路部に着脱可能に設けられ、ろ過部材を備えた前カバーと後カバーにより着脱可能に構成されるフィルタユニットと、前記前カバーと前記後カバーとの間に摺動可能に挟持され前記フィルタユニット内に付着した糸屑等を掻き取る掻き取り部と、を備え、前記前カバーは、前記還流水路部に取り付けられた状態で前記洗濯兼脱水槽の内周側に位置し、前記後カバーは、前記還流水路部に取り付けられた状態で前記洗濯兼脱水槽の外周側に位置し、前記後カバーには、前記掻き取り部の摺動方向
の略全長に延伸形成された溝孔を有し、前記掻き取り部には、前記溝孔と摺動可能に遊嵌する嵌合部が形成され、前記前カバーと前記後カバーとが一体に構成された状態において、前記嵌合部の一部が、前記溝孔を貫通して前記後カバーから突出することにより、フィルタユニット内に付着したリント類を手を触れることなく容易に除去することができる。
【００１６】
第７の発明は、特に第６の発明の洗濯機の前記嵌合部の前記後カバーから突出した部分と連結される摘み部を備え、前記前カバーと前記後カバーとが一体となった状態で前記摘み部を摘みながら前記溝孔に沿って移動させることにより、前記掻き取り部が前記フィルタユニット内の糸屑等を掻き取ることにより、フィルタユニット内に付着したリント類を容易に除去することができる。
【００１７】
第８の発明は、特に第７の発明の洗濯機の前記後カバーには、前記掻き取り部により掻き取られた前記フィルタユニット内の糸屑等を排出するための排出口を有することにより、掻き取り部により掻き取られた糸屑等をフィルタユニットの外部に容易に排出することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における洗濯機の縦断面図、図２は、同洗濯機の洗濯兼脱水槽内部を示す斜視図である。
【００２０】
図１、２において、本体１は、水槽３をサスペンション２により本体１の内部に懸垂防振支持している。水槽３内部には、洗濯兼脱水槽５を回転自在に配設し、洗濯兼脱水槽５の側壁には、多数の脱水孔６を有するとともに、洗濯兼脱水槽５の上部に流体バランサ７を有している。
【００２１】
洗濯兼脱水槽５の中央底部には、パルセータ８が配設されている。パルセータ８は、表面側の外周を傾斜面としたナベ型の形状に形成し、裏面に複数の羽根（図示せず）を形成している。
【００２２】
伝達機構部９は、内部に洗濯時の減速ギア（図示せず）および洗濯・脱水軸の切り換えクラッチ（図示せず）と、脱水時に洗濯兼脱水槽５の回転を停止するためのブレーキ（図示せず）とを内蔵している。
【００２３】
モータ１０は、水槽３の外底部に取り付けられている。モータ側プーリ１１およびクラッチ側プーリ１２をベルト１３で連結することで、モータ１０の動力を伝達機構部９を介して洗濯・脱水軸４に伝達させる。また、切り替えクラッチ（図示せず）を制御することで、モータ１０を用いて、パルセータ８を回転させたり、パルセータ８および洗濯兼脱水槽５を同時に回転させたりする。
【００２４】
還流水路部２０は、洗濯兼脱水槽５の外底部から側壁部にかけて構成されている。還流水路部２０の下端は、パルセータ８の側方に位置している。還流水路部２０の上部には、糸屑捕集用のフィルタユニット３０が着脱自在に取り付けられている。
【００２５】
図３は、本発明の実施の形態１における洗濯機のフィルタユニットの分解斜視図、図４は、同洗濯機のフィルタユニットのリント類を除去する際の部分斜視図、図５は、同洗濯機のフィルタユニットの縦断面図、図６は、同洗濯機のフィルタユニットの横断面図である。
【００２６】
図３〜図６を用いて、フィルタユニットについて説明する。
【００２７】
フィルタユニット３０は、合成樹脂製の前カバー３２と合成樹脂製の後カバー３３から構成される。図２に示すように、フィルタユニット３０が洗濯兼脱水槽５に取り付けられた状態において、前カバー３２は、洗濯兼脱水槽５の内周側に位置し、後カバー３３は、洗濯兼脱水槽５の外周側に位置する。
【００２８】
図３、図６に示すように、前カバー３２の両側面には、縦溝形状の案内部３５（ガイドレール）が形成されている。前カバー３２上側（下流側）には、前把持部４３が形成されている。後カバー３３の両側面には、縦溝形状の連結部３７が形成されている。連結部３７の一部には、後把持部４２が形成されている。図６において、案内部３５と連結部３７とは、長手方向（上下方向）に摺動可能に嵌り合うよう構成されている。図４において、前把持部４３と後把持部４２とを手で持ち、前カバー３２を矢印Ａ１方向に摺動させ、後カバー３３をＡ２方向に摺動させることにより、前カバー３２と後カバー３３とを一体に固定することができる。
【００２９】
図３において、前カバー３２の内面には、長手方向に前リブ３９が形成されている。図４において、後カバー３３の内面側には、後リブ４０が形成されている。前カバー３２と後カバー３３とが一体的に構成された状態において、フィルタユニット３０の内部は、前リブ３９と後リブ４０とが当接または近接することにより、細長い３列の部屋に仕切られた状態となる。上記構成により、フィルタユニット３０内部を流れる洗濯水の流れを整流するとともに、フィルタユニット３０の強度を向上している。ここで、本実施の形態においては、フィルタユニット３０内部の部屋を３列としたが、本発明は、これに限定されるものでなく、２列や４列以上であってもよい。
【００３０】
前カバー３２には、ナイロン製のメッシュであるろ過部材３１がインサート成形に より形成されている。
【００３１】
図３〜図６に示すように、前カバー３２の内面下端部には、逆止弁３４が形成されている。逆止弁３４は、回動体３４ａと、回動体３４ａが下方（上流側）に回動した際に当接する位置に設けられる支持リブ３４ｂ（支持体）とから構成されている。回動体３４ａは、ゴム等の可撓性部材であってもよいし、合成樹脂であってもよい。
【００３２】
回動体３４ａは、上方（下流側）には、前カバー３２の内面と当接するまで回動することができる。このため、洗濯水は、還流水路部２０からフィルタユニット３０内部へ流入することができる。一方、回動体３４ａが下方（上流側）へ回動する際には、回動途中で回動体３４ａは支持リブ３４ｂと当接する。支持リブ３４ｂにより回動体３４ａの下方（上流側）への回動が制限されるため、洗濯水がフィルタユニット３０内部から還流水路部２０へ逆流することを防止できる。
【００３３】
なお、洗濯水がフィルタユニット３０内部から還流水路部２０へ逆流することを防止できれば、逆止弁３４は後カバー３３に配設されていてもよい。
【００３４】
以下、フィルタユニット３０内を流れる洗濯水の流れについて説明する。
【００３５】
洗い、あるいは、すすぎ時にパルセータ８が回転すると、羽根が洗濯兼脱水槽５底部の洗濯水を還流水路部２０へ掻き上げる。還流水路部２０内に掻き揚げられた洗濯水は、回動体３４ａを上方（下流側）へ回動させてフィルタユニット３０内へ流入する。フィルタユニット３０内に流入した洗濯水は、フィルタユニット３０内を通過した後、ろ過部材３１を介して、フィルタユニット３０外部へ排出される。洗濯水がフィルタユニット３０外部へ排出される際に、ろ過部材３１によりリント類３６を捕集する。ここで、回動体３４ａは、下方（上流側）への回動を支持リブ３４ｂにより制限されているため、フィルタユニット３０内部に溜まったリント類３６が還流水路部２０を逆流することを防止できる。
【００３６】
次に、フィルタユニット３０内部に捕集されたリント類３６を除去する方法について説明する。
【００３７】
前カバー３２に形成された回動体３４ａは、支持リブ３４ｂにより下方（上流側）へ回動しないよう支持されている。このため、後把持部４２と前把持部４３を手で掴み、前カバー３２を図４の矢印Ａ２方向に摺動させるとともに、後カバー３３を図４の矢印Ａ１方向に摺動させることで、案内部３５と連結部３７とが嵌り合いながら長手方向（上下方向）に摺動するため、逆止弁３４により後カバー３３内面に付着したリント類３６を掻き取ることができる。掻き取られたリント類３６は、後カバー３３上端部からフィルタユニット３０の外部へ排出される。逆止弁３４がリント類３６を掻き取る役割をするため、リント類３６に指を触れることなく、リント類３６をフィルタユニット３０から除去することができる。
【００３８】
本実施の形態では、案内部３５は前カバー３２の両側面に形成される構成を説明したが、本発明はこれに限定されず、案内部３５が後カバー３３の両側面に形成されていてもよい。
【００３９】
本実施の形態では、前カバー３２と後カバーとを摺動させることにより、前カバー３２に設けられた回動体３４ａ及び支持リブ３４ｂで後カバー３３に付着した糸屑等を掻き取る構成を説明したが、本発明は、後カバー３３の糸屑等を取り除くことができれば、上記構成に限定されない。例えば、後カバー３３に摺動可能な掻き取り部材を設けることにより後カバー３３の糸屑等を取り除く構成であってもよい。
【００４０】
（実施の形態２）
図７は、本発明の実施の形態２における洗濯機のフィルタユニットのリント類を除去する際の斜視図である。
【００４１】
本実施の形態は、実施の形態１の構成からフィルタユニットの構成のみ変更したものである。フィルタユニット以外の構成については、同一符号を付して説明を省略する。
【００４２】
図７において、フィルタユニット１３０は、前カバー１３２と後カバー１３３とから構成される。後カバー１３３の両側面には、長手方向に溝形状の案内部１３５が形成されている。前カバー１３２の側面リブ１３６には、案内部１３５と回動及び摺動が可能な前カバー連結軸１７６が設けられる。
【００４３】
上記構成により、前記前カバー１３２と前記後カバー１３３は、案内部１３５に沿って摺動および回動が可能に構成される。
【００４４】
前カバー１３２の内面下端部には、回動体１３４ａと支持リブ（図示せず）とから構成される逆止弁１３４が形成されている。逆止弁１３４の構成は、実施の形態１と同一である。逆止弁１３４により、還流水路部２０からフィルタユニット１３０内部へ流入した洗濯水が、還流水路部２０へ逆流することを防止する。
【００４５】
以下に、フィルタユニット１３０内部に捕集されたリント類を除去する方法を説明する。
【００４６】
一方の手で後カバー１３３を保持し、他方の手で前カバー１３２の前把持部１４３を持
ち、図７に示すように、前カバー１３２と後カバー１３３とを前カバー連結軸１７６を支点に回動させる。前カバー１３２と後カバー１３３を回動させた状態で、案内部１３５に沿って図７の矢印Ｂ方向に摺動させることで、逆止弁１３４がリント類を掻き取ることができる。
【００４７】
上記方法により、後カバー１３３内面に付着したリント類を確認しながら除去することができる。
【００４８】
（実施の形態３）
図８は、本発明の実施の形態３における洗濯機のフィルタユニットの分解斜視図、図９は、同洗濯機のフィルタユニットのリント類を除去する際の部分斜視図である。
【００４９】
本実施の形態は、実施の形態１からフィルタユニットの構成のみ変更したものである。フィルタユニットの構成以外の構成については、同一符号を付して説明を省略する。
【００５０】
図８、図９において、フィルタユニット２３０は、前カバー２３２と後カバー２３３とから構成される。前カバー２３２と後カバー２３３とは、摺動可能に嵌合する。
【００５１】
前カバー２３２には、ナイロン製のメッシュであるろ過部材２３１がインサート成型されている。
【００５２】
後カバー２３３の内面下端部には、回動体２３４ａが形成されている。回動体２３４ａにより、還流水路部２０からフィルタユニット２３０内部へ流入した洗濯水が、還流水路部２０へ逆流することを防止している。
【００５３】
後カバー２３３の回動体２３４ａよりも上方（下流側）には、排出口２４５が形成されている。後カバー２３３には、略上端部から排出口２４５まで長手方向に後溝リブ２５５が延伸形成されている。後溝リブ２５５には、溝孔２５５ａが延伸形成されている。
【００５４】
フィルタユニット２３０内には、掻き取り部２５７が前カバー２３２と後カバー２３３との間に摺動可能に挟持されている。
【００５５】
掻き取り部２５７には、後カバー２３３の溝孔２５５ａと摺動可能に遊嵌する連結リブ２５８（嵌合部）が形成されている。連結リブ２５８の先端には、略半円状の連結切欠き部２５９が形成されている。
【００５６】
前カバー２３２と後カバー２３３とが一体的に構成された状態では、連結リブ２５８と溝孔２５５ａとが嵌まり合い、掻き取り部２５７の連結リブ２５８の一部が、溝孔２５５ａを貫通して後カバー２３３の外面に突出する。連結リブ２５８が、後カバー２３３の外面に突出した状態で、連結切欠き部２５９と摘み部２４４の連結軸２５１とが嵌着する。
【００５７】
上記構成により、摘み部２４４は、後カバー２３３の外面に回動可能に取り付けられた状態となる。図８に示すように、摘み部２４４を指で摘み、長手方向（上下方向）に動かすことにより、掻き取り部２５７を長手方向（上下方向）に動かすことができる。
【００５８】
洗濯を開始する際は、摘み部２４４を縦方向になるよう回動させ、摘み部２４４を収納した状態でフィルタユニット２３０を洗濯兼脱水槽５の還流水路部２０へ取り付ける。
【００５９】
以下に、洗濯終了後、フィルタユニット２３０内部に捕集されたリント類２３６を除去する方法を説明する。
【００６０】
還流水路部２０からフィルタユニット２３０を取り外す。前カバー２３２を一方の手で保持し、他方の手で摘み部２４４をフィルタユニットに対して略垂直となるよう回動させ、図９の矢印Ｃ方向（下方向）に移動させる。これにより、摘み部２４４に連結された掻き取り部２５７も矢印Ｃ方向（下方向）に移動するため、フィルタユニット２３０内のリント類３６を矢印Ｃ方向（下方向）に掻き出すことができる。掻き出されたリント類２３６は、排出口２４５からフィルタユニット２３０の外部に排出される。上記方法により、リント類２３６に指を触れることなく、フィルタユニット２３０内のリント類３６を除去できる。
【００６１】
なお、図は省略するが、掻き取り部２５７の前カバー２３２側の面にブラシを取り付けておけば、上記のリント類２３６除去動作時に、前カバー２３２のろ過部材２３１に付着したリントも除去できる。
【産業上の利用可能性】
【００６２】
以上のように、本発明にかかる洗濯機は、フィルタユニットに捕集されたリント類を容易かつ確実に、また清潔に除去することが可能であるため、ドラム式など他の洗濯機の用途にも適用できる。
【符号の説明】
【００６３】
１  本体
３  水槽
５  洗濯兼脱水槽
２０  還流水路部
３０  フィルタユニット
３１  ろ過部材
３２  前カバー
３３  後カバー
３４  逆止弁
３４ａ  回動体
３４ｂ  支持リブ（支持体）
３５  案内部（ガイドレール）
１７６  前カバー連結軸
２４４  摘み部
２４５  排出口
２５５ａ  溝孔
２５７  掻き取り部
２５８  連結リブ（嵌合部）
【図１】
2018134261.tif 000003
【図２】
2018134261.tif 000004
【図３】
2018134261.tif 000005
【図４】
2018134261.tif 000006
【図５】
2018134261.tif 000007
【図６】
2018134261.tif 000008
【図７】
2018134261.tif 000009
【図８】
2018134261.tif 000010
【図９】
2018134261.tif 000011